(57)【特許請求の範囲】
【請求項１】
発泡材料を押出発泡した複数の発泡体が、押出方向が同一方向となるように配されて一体化され、該押出方向に直交する方向に切断した切断面を有した緩衝材と、面材とを有した梱包材であって、
前記緩衝材のすくなくとも一部は、前記切断面が前記面材の面に貼着されていることを特徴とする梱包材。
【請求項２】
請求項１において、
前記緩衝材は、前記面材の四周の各辺に対応した側壁部として設けられており、
前記面材の一組の対向辺に設けた前記緩衝材は、前記切断面が前記面材の面に貼着されている一方、他の一組の対向辺に設けた前記緩衝材は、前記切断面どうしが向かい合うように前記面材の面に貼着されている、梱包材。
【請求項３】
請求項２において、
前記梱包材は建具を収容する形状とされ、
前記建具の両側部に対応した、前記面材の対向辺に設けた前記緩衝材は、前記切断面が前記面材の面に貼着されている一方、前記建具の上下部に対応した、前記面材の対向辺に設けた前記緩衝材は、前記切断面が前記建具の上下方向を向いており、
前記面材の角部において相隣接する前記緩衝材どうしは、前記建具の起立状態に対応した場合において横勝ちとなるように接合されている、梱包材。
【請求項４】
請求項２において、
前記梱包材は建具を収容する形状とされ、
前記建具の両側部に対応した、前記面材の対向辺に設けた前記緩衝材は、前記切断面が前記面材の面に貼着されている一方、前記建具の上下部に対応した、前記面材の対向辺に設けた前記緩衝材は、前記切断面が前記建具の上下方向を向いており、
前記面材の角部において相隣接する前記緩衝材どうしは、留め加工にて接合されている、梱包材。
【発明の詳細な説明】
【技術分野】
【０００１】
本発明は、複数の発泡体を有してなる梱包材に関する。
【背景技術】
【０００２】
従来、箱体形状の梱包材の中に発泡スチロールなどの発泡体よりなる緩衝材を配置することは一般的に実施され、種々の提案もなされている（たとえば、特許文献１参照）。
【０００３】
従来には、発泡体としては、発泡材料を押出発泡した複数の発泡体を押出方向が同一方向となるように束ねたものがあり、そのような発泡体集合材を断熱材として用いることが提案されている（たとえば、特許文献２参照）。
【０００４】
特許文献２に記載された複数の発泡体よりなる断熱材は、押出方向にほぼ直交する方向に切断した際の切断面（切り口）が大引きなどの枠体に接するようにして、枠体間に組み付けられるようになっている。この種の発泡体は押出方向には収縮しにくいため、特許文献２では、枠体間への嵌め入れをしやすくすることを考慮して、切断面を傾斜形状としたり、収縮しやすくするための溝を形成したりする技術が提案されている。
【先行技術文献】
【特許文献】
【０００５】
【特許文献１】特開２０１４−１３３５６９号公報
【特許文献２】特開２０１１−１３２７１６号公報
【発明の概要】
【発明が解決しようとする課題】
【０００６】
本発明者らは、特許文献２に記載されているような押出発泡により形成された発泡体の上記特性に着目し、この種の発泡体を梱包材用の緩衝材として用いることを研究している。具体的には、特許文献１に記載されているような梱包材（梱包箱体）の分野において、この種の発泡体を活用することで、収容物の保護性能にすぐれた梱包材の研究、開発が進められている。
【０００７】
本発明は、このような事情を考慮して提案されたもので、その目的は、収容物の保護性能にすぐれた梱包材を提供することにある。
【課題を解決するための手段】
【０００８】
上記目的を達成するために、本発明の梱包材は、発泡材料を押出発泡した複数の発泡体が、押出方向が同一方向となるように配されて一体化され、押出方向に直交する方向に切断した切断面を有した緩衝材と、面材とを有した梱包材であって、緩衝材のすくなくとも一部は切断面が面材の面に貼着されていることを特徴とする。
【発明の効果】
【０００９】
本発明の梱包材によれば、上述した構成となっているため、緩衝材でもって収容物をしっかりと保護することができる。
【図面の簡単な説明】
【００１０】
【図１】本発明の一実施形態に係る梱包材の部分分解斜視図および一部の拡大斜視図である。
【図２】図１の梱包材に建具を収納して起立させた状態の正面図である。
【図３】本発明の他の実施形態に係る梱包材の部分分解斜視図である。
【発明を実施するための形態】
【００１１】
以下に、本発明の実施形態に係る梱包材について、添付図面にもとづいて説明する。
まず、梱包材の基本概略構成について説明する。
【００１２】
本梱包材１は、発泡材料を押出発泡した複数の発泡体１１、・・・が、押出方向が同一方向となるように配されて一体化され、押出方向に直交する方向に切断した切断面１２、・・・を有した緩衝材１０、・・・と、面材２０、２０とを有している。この緩衝材１０、・・・のすくなくとも一部は、切断面１２、・・・が面材２０の面２１に貼着されている（以上、図１および図３参照）。
【００１３】
ついで、本梱包材１の詳細構成について説明する。まず、図１に示した梱包材１について、図１および図２を参照しながら説明する。なお、図２では、蓋として用いる面材２０の図示を省略した。
【００１４】
本実施形態の梱包材１に用いられる緩衝材１０は、複数の発泡体１１、・・・が一方向に複数段配向して一体化された発泡体集合材よりなる。つまり、この発泡体集合材は図１の拡大図に示すように、複数の棒状（たとえば図１の拡大図に示すような円柱）形状の発泡体１１、・・・を切断面１２が同じ方向を向くように規則正しく並べたものである。この発泡体集合材は、たとえば多数の丸孔が隣接して形成された金型（不図示）を用いて製造すればよい。
【００１５】
図１に示した梱包材１は、ダンボール等よりなる面材２０、２０間に発泡体集合材よりなる緩衝材１０を挟み込んでなる梱包箱体である。緩衝材１０は面材２０の四周の各辺に対応した、梱包箱体の側壁部として設けられている。
【００１６】
図１に示した梱包材１（梱包箱体）は、ドアなどの建具５が、四周の緩衝材１０、・・・で囲まれた収容空間１３に収容される構成となっており、一方の面材２０を底部とした場合の側壁部の高さは、建具５の厚みに応じた低いものとなっている。
【００１７】
四周の緩衝材１０、・・・のうち、長手の一組の対向辺に設けたものは、切断面１２、１２が面材２０の面２１に貼着されている。一方、短手の一組の対向辺に設けたものは、切断面１２、１２どうしが収容空間１３を挟んで向かい合うように配されている。
【００１８】
緩衝材１０は概ね直方体形状であり、直方体の６面のうちの対向２面が切断面１２となっている、短手辺に設けた２つの緩衝材１０については、それぞれの両切断面１２が長手方向を向いている。また、短手辺に設けた緩衝材１０、１０は、長手辺に設けた緩衝材１０、１０を挟むような短手方向勝ちの配置となっている。
【００１９】
ようするに、収容物である建具５の両側部に対応した、長手方向に沿って設けた緩衝材１０、１０は、切断面１２が面材２０の面２１に貼着されている。一方、建具５の上下部に対応した、短手方向に沿って設けた緩衝材１０、１０は、切断面１２が建具５の上下方向を向いている。
【００２０】
そして、面材２０の角部において相隣接する緩衝材１０、１０どうしは、建具５の起立状態に対応した場合において横勝ち（短手方向勝ち）となるように接合されている。なお、緩衝材１０は面材２０に接着剤などで貼着され、角部で隣接する緩衝材１０、１０どうしも接着剤などで貼着されている。
【００２１】
上述したように、４つの緩衝材１０、・・・によって囲まれた梱包箱体の収容空間１３には、建具５が収容される。建具５をしっかりと保護するうえでは、建具５は四周の緩衝材１０、・・・との間に、ほとんど隙間ができないように収容されることが望ましい。このように隙間なく建具５を収容するために、４つの緩衝材１０、・・・のうちのすくなくとも１つは、建具５を収容空間１３に収容したのちに取り付けるようにしてもよい。そして、収容空間１３に建具５を収容したのちに、他の面材２０が蓋として取り付けられる。
【００２２】
以上のように、図１に示した梱包材１（梱包箱体）は、一部の側壁部を構成する発泡体集合材の押出方向が面材２０の面２１に向き、切断面２１がその面２１に貼着された構成となっている。この種の発泡体１１は押出方向の収縮がしにくいため、この梱包箱体は長手辺に設けた緩衝材１０によって厚さ方向に加わる外力に強く、外力に対しても厚さが適切に維持される。そのため、収容物である建具５の前後面を保護することができる。特に、本梱包材１は両方の長手辺のほぼ全長に対して両切断面１２を面材２０、２０に向けた緩衝材１０を有しているため、中央部が凹む可能性はきわめて低い。
【００２３】
また、図２に示すように、短手辺には建具５の上下方向に切断面１２を向けた緩衝材１０が設けてあるため、上下方向Ｙの衝撃にも強い。建具５を梱包材１（梱包箱体）に収容し、図２に示すような起立状態で、たとえば梱包箱体が落下した場合でも、下端に設けた緩衝材１０Ａは切断面１２が上下方向Ｙを向いているため、上下方向Ｙに収縮したり押しつぶされたりする可能性は低い。したがって、もっとも傷みやすい建具５の下端を適切に保護することができる。
【００２４】
また、下端がわの緩衝材１０Ａは収縮しにくく塑性変形も起こりにくいため、収容空間１３が上下方向Ｙに広がるおそれはほとんどない。このように収容空間１３が上下に広がらないため、建具５のがたつきも防止することができる。また、本実施形態の梱包材１（梱包箱体）は、緩衝材１０、・・・が横勝ちに配置されているため、左右の端部においても上下方向Ｙの衝撃に対して強く、最も傷みやすい建具５の下端の角部を適切に保護することができる。
【００２５】
さらに、建具５は四周を緩衝材１０、・・・で囲まれているため、収容物ががたついた場合でも傷がつきにくい。特に、図２のように収容物が収容空間１３に隙間なく収容されていれば、収容空間１３内でのがたつきも防止することができる。
【００２６】
つぎに、図３に示した梱包材１について説明する。
【００２７】
この梱包材１は、図１のものと同様に、ダンボール等よりなる面材２０、２０間に発泡体集合材よりなる緩衝材１０、・・・を挟み込んでなる梱包箱体であり、内部の収容空間１３には建具５が収容されるようになっている。４つの緩衝材１０、・・・についての面材２０、２０への取り付け方も図１のものと同様である。
【００２８】
したがって、この梱包材１の効果についても、図１に示した梱包材１の効果と概ね同様である。
【００２９】
この梱包材１（梱包箱体）が図１のものと異なる点は、面材２０の角部において相隣接する緩衝材１０、１０どうしの接合構造である。すなわち、図３の梱包材１では、角部において緩衝材１０、１０どうしが留め加工にて接合されている。したがって、長手辺の緩衝材１０、１０は面材２０の上端から下端にまで及んでいる。そのため、面材２０の角部においても厚さ方向に強く、外力に対しても厚さが適切に維持される。
【００３０】
また、下端の保護強化を考慮して下端の角部については横勝ち接合とし、厚さ方向の維持を考慮して上端の角部については留め接合としてもよい。
【００３１】
以上に説明した、面材２０の角部における２種の接合構造の他に、４つの緩衝材１０、・・・を縦勝ちで組み付けることも可能である。これによれば、さらに厚さ方向の増強を図ることができる。
【００３２】
また、このような建具５の梱包箱体としては、４つの緩衝材１０、・・・がすべて、切断面１２が面材２０に貼着されたものとしてもよい。このようにすることで、さらに厚さ方向の保護を強化することができる。また、収容空間１３は周囲を緩衝材１０、・・・のクッション性の高い面で囲まれるため、収容物の全周の防傷性が高められる。
【００３３】
梱包材１としては、図１や図３に示した、建具５用の扁平形状のものに限られず、収容物のサイズにおうじた形状とすることができるのは言うまでもないことである。厚さの厚い（側壁部が高い）ものについては、外面に緩衝材１０が多く露出するので、外部に露出した緩衝材１０の面に対してさらに面材２０を貼着し覆ってもよい。
【００３４】
以上には、梱包材１として、２枚の面材２０、２０、および、その枠部（側壁部）に相当する４つの緩衝材１０、・・・で囲まれた空間を収容空間１３とした梱包箱体を例示した。このような梱包箱体に限られず、面材２０のほぼ全面に、緩衝材１０の切断面１２を貼着させた梱包材１を、梱包箱のたとえば底部として用いてもよい。これにより、収容物の重量がかかる底部を強化でき、収容物の底の保護を図ることができる。
【００３５】
また、１枚の面材２０のほぼ全面に緩衝材１０の切断面１２を貼着させた梱包材１を、梱包箱の詰め物として利用してもよい。収容物のサイズに対して大きめの梱包箱を用いる場合、そのような梱包材１を、底部の強化のために内底に置いたり、側部の隙間に詰めたりすることができる。もちろん、詰め物としての梱包材１が、２枚の面材２０、２０で緩衝材１０を挟み込んでなる梱包材であってもよい。
【符号の説明】
【００３６】
１            梱包材
５            建具
１０          緩衝材（発泡体集合材）
１１          発泡体
１２          切断面
１３          収容空間
２０          面材
２１          ２１
【図１】
0006478155.tif 000002
【図２】
0006478155.tif 000003
【図３】
0006478155.tif 000004